(57)【特許請求の範囲】
【請求項１】
ベースパネルと、該ベースパネルの左右にそれぞれ側面パネルとトップパネルとが一連に連結されて成るカバーシートと、前記ベースパネルの前後に設けられた一対の端部ウェブ板とから成り、該端部ウェブ板には辺縁から複数個の固定用突出部が一体的に突設され、更に、前記カバーシートには、端部ウェブ板を囲撓するときに、この固定用突出部を捕捉し、且つ、該固定用突出部が貫通して外方に突出できるスロットが穿設され、前記端部ウェブ板の固定用突出部を前記カバーシートの各スロットに貫通させて前記端部ウェブ板の周囲を前記カバーシートで囲撓させることによって垂直に保持された端部ウェブ板とこのカバーシートとで囲撓された収容空間を備える容器が形成されるとともに、前記固定用突出部と隣接する容器の対応するベースパネルの積載用のスロットとが捕捉的に係止されるように、前記ベースパネルの積載用のスロットに近接する位置の端部ウェブ板には、固定用突出部の捕捉用の積載用溝が設けられている積み重ね可能な包装用容器において、前記端部ウェブ板はベースパネルの対向する辺縁に折り目を介して一体に設けられていると共に、この端部ウェブ板の上方の辺縁に前記固定用突出部が一体に突設され、更に前記側面パネルとトップパネルとの間に、この側面パネルに対して角度をなして配される連結パネルが一連に連接され、この連結パネルの縁部分には前記端部ウェブ板の角部が嵌合するスロットが穿設され、しかも前記トップパネルは、容器の上方に開口が形成されるに足る幅寸法に形成されていると共に、一方のトップパネルからは、端が他方のトップパネルの上に重合されるに足る寸法を備えて前記開口を閉塞する蓋が一体に設けられ、且つ、この蓋の辺縁には端部ウェブ板の前記固定用突出部を摩擦を生じさせながら貫通させるスロットが穿設されていることを特徴とする積み重ね可能な包装用容器。
【請求項２】
側面パネル、連結パネル、トップパネル、更にはベースパネルは、その前記端部ウェブ板が存在する側にある辺縁が全長にわたって二枚重ねに構成されていると共に、前記端部ウェブ板並びに固定用突出部も二枚重ねに構成されている請求項１記載の積み重ね可能な包装用容器。
【発明の詳細な説明】
【０００１】
【発明の属する技術分野】
本発明は、積み重ね可能な包装用容器、更に詳しくは、端部ウェブ板に一体に固定用突出部が設けられ、この固定用突出部が積み重ねられる他の包装用容器に設けられた積載用スロットに嵌合して荷崩れを起こさないように構成された積み重ね可能な包装用容器に関するものである。
【０００２】
【従来の技術】
従来、この種の積み重ね可能な包装用容器は、一般に図８、図９に示されるように、包装用容器０１の底０１１、左右の側壁０１２そして上壁０１３を一体に備えるカバーシート０２と一対の端部ウェブ板０３とが別体に構成され、この端部ウェブ板０３に脚部０４が一体的に設けられ、前記端部ウェブ板０３の周辺をこのカバーシート０１で包み込み、このカバーシート０１に設けられた複数個のスロット０５に端部ウェブ板０３の角部０６や前記脚部０４が貫通されて、容器形状が保たれ、また、下段の容器の脚部０４が上に積層される容器の前記スロット０５に貫通嵌合されることによって荷崩れを予防するように構成されている。また、端部ウェブ板０３の上縁にはスロットから成るスリット形状０８が形成されていて、ここにこのカバーシート０２の内折縁部０７が嵌合係止されて該カバーシート０２が剥離しない構成が採用されている（一例として米国特許明細書第５，１１６，２９０号参照）。
【０００３】
このような積み重ね可能な包装用容器は、展開状態にある前記カバーシート０２の底０１１のスロット０５に前記一対の端部ウェブ板０３の脚部０４を貫通させながらこの一対の端部ウェブ板０３を立ち姿勢に組み立て、次いで、展開状態にある前記カバーシート０２を折り目０９で折り込みながら各スロット０５に端部ウェブ板０３の角部０６を貫通させ、最終的に前記スロットから成るスリット形状０８にカバーシート０２の内折縁部０７を嵌合係止させて容器の組み立てを完了する。
【０００４】
【発明が解決しようとする課題】
ところが、このような従来の積み重ね可能な包装用容器は、カバーシートと端部ウェブ板とが別体に構成されていて、この端部ウェブ板がカバーシートに保持されるには端部ウェブ板の脚部と角部とがカバーシートのスロットに貫通される構成のみに頼っているために、基本的に端部ウェブ板とカバーシートとの連結強度が脆弱で、容器そのものの保形性が強固に保持されにくく、特に多数個を積層するには適さない構造的な欠点を内在させている。また、組み立てに手数を要したり、素材から端部ウェブ板とカバーシートとを切り出す必要があり、構成部品の切り出しにも手数を要し、更には工場出荷、搬送、需要者への供給等あらゆる面で、常に端部ウェブ板とカバーシートとの数の突き合わせをするなどの必要があったりするため、在庫管理、取り扱いが面倒で、結局経済的に提供できない欠点があった。
【０００５】
そこで本発明は、以上のような従来の積み重ね可能な包装用容器の問題点を種々検討した結果、この種積み重ね可能な包装用容器では、カバーシートと端部ウェブ板とが別体に構成されて強度的に脆弱なものは、まず需要者の便には十分に供しえず、従って、先ず強度的に十分な構造を備えることが必須の要件であることを知見し、鋭意検討を重ねて、本発明を開発するに至ったものである。
従って、本発明の主たる目的は、強度的に十分な構造を備えて、多少の積み重ね個数にも十分に対応できる積み重ね可能な包装用容器を提供する点にある。
【０００６】
また、本発明の他の目的は、前記の目的をうまく達成しながらも、容器に負荷される上方からの荷重にうまく対抗し、多数の容器を積層した場合にも個々の容器が容器本来の立体形状を長く保持できる積み重ね可能な包装用容器を提供する点にある。
【０００７】
更に、本発明の他の目的は、更に加えて端部ウェブ板周囲の強度を一段と高めて、一層頑丈に構成できる積み重ね可能な包装用容器を提供する点にある。
【０００８】
また、本発明の別の目的は、端部ウェブ板と固定用突出部との強度を高めて、一層頑丈に構成できる積み重ね可能な包装用容器を提供する点にある。
【０００９】
そして、本発明の更に他の目的は、容器の上方の強度も高めて容器の全体的な強度を一層高め、併せて容器の収容物品を外的な圧力や衝撃から上手く保護でき、商品価値を不用意に損なう虞を少なくできる積み重ね可能な包装用容器を提供する点にある。
【００１０】
【課題を解決するための手段】
上記の目的を達成するために、本発明は、端部ウェブ板を前記カバーシートのベースパネルに一体に設けると言う連結手段を講じている。そして、このような一体連結によりこの端部ウェブ板の下縁全長が前記ベースパネルの辺縁全長にわたって一体に連結され、カバーシートへの取付け強度を高め、しかも容器の組み立てを簡便にしている。
【００１１】
【発明の実施の形態】
本発明に係る積み重ね可能な包装用容器は、ベースパネルと、該ベースパネルの左右にそれぞれ側面パネルとトップパネルとが一連に連結されて成るカバーシートと、前記ベースパネルの前後に設けられた一対の端部ウェブ板とから成り、該端部ウェブ板には辺縁から複数個の固定用突出部が一体的に突設され、更に、前記カバーシートには、端部ウェブ板を囲撓するときに、この固定用突出部を捕捉し、且つ、該固定用突出部が貫通して外方に突出できるスロットが穿設され、前記端部ウェブ板の固定用突出部を前記カバーシートの各スロットに貫通させて前記端部ウェブ板の周囲を前記カバーシートで囲撓させることによって垂直に保持された端部ウェブ板とこのカバーシートとで囲撓された収容空間を備える容器が形成されるとともに、前記固定用突出部と隣接する容器の対応するベースパネルの積載用のスロットとが捕捉的に係止されるように、前記ベースパネルの積載用のスロットに近接する位置の端部ウェブ板には、固定用突出部の捕捉用の積載用溝が設けられている積み重ね可能な包装用容器において、前記端部ウェブ板はベースパネルの対向する辺縁に折り目を介して一体に設けられていると共に、この端部ウェブ板の上方の辺縁に前記固定用突出部が一体に突設され、更に前記側面パネルとトップパネルとの間に、この側面パネルに対して角度をなして配される連結パネルが一連に連接され、この連結パネルの縁部分には前記端部ウェブ板の角部が嵌合するスロットが穿設され、しかも前記トップパネルは、容器の上方に開口が形成されるに足る幅寸法に形成されていると共に、一方のトップパネルからは、端が他方のトップパネルの上に重合されるに足る寸法を備えて前記開口を閉塞する蓋が一体に設けられ、且つ、この蓋の辺縁には端部ウェブ板の前記固定用突出部を摩擦を生じさせながら貫通させるスロットが穿設されているものである。
【００１２】
また、本発明の積み重ね可能な包装用容器は、強度的に十分な構造を備えて、多少の積み重ね個数にも十分に対応できながらも、更に加えて、端部ウェブ板とカバーシートとの連結部分の強度を一段と高めたり、端部ウェブ板周囲の強度を間接的に高めて、一層頑丈に構成できるようにするために、請求項２に記載されるように、側面パネル、連結パネル、トップパネル、更にはベースパネルは、その前記端部ウェブ板が存在する側にある辺縁が全長にわたって二枚重ねに構成されていると共に、前記端部ウェブ板並びに固定用突出部も二枚重ねに構成が採用される。
【００１３】
本発明の積み重ね可能な包装用容器は、端部ウェブ板と固定用突出部との強度を高めて、一層頑丈に構成できるようにするために、上記の通り、前記ウェブ板並びに固定用突出部が二枚重ねにされる構成が採用されている。
【００１４】
本発明の積み重ね可能な包装用容器は、容器の上方の強度も高めて容器の全体的な強度
を一層高め、上記の通り、前記トップパネルは、容器の上方に開口が形成されるに足る幅寸法に形成されていると共に、一方のトップパネルからは、端が他方のトップパネルの上に重合されるに足る寸法を備えて前記開口を閉塞する蓋が一体に設けられていると共に、この蓋の辺縁には端部ウェブ板の前記固定用突出部を摩擦を生じさせながら貫通させるスロットが穿設されている構成が採用されている。
【００１５】
以上のように構成された本発明に係る積み重ね可能な包装用容器は、両端部ウェブ板をベースパネルとの折り目から上方に、垂直になるよう、折り曲げ、次いで両側面パネルをベースパネルとの折り目から上方に、垂直になるように、折り曲げ、その後連結パネルをこの両側面パネルに対して所定の角度で折り曲げながら前記端部ウェブ板の角部をこの連結パネルのスロットに貫通させ、更にこの端部ウェブ板の上方に一体に突出させて設けられた固定用突出部をトップパネルのスロットに貫通させる。このようにして、図１に示されるように、両端部ウェブ板とカバーシートとによって囲撓された収容空間が形成される。
【００１６】
このように、本発明に係る積み重ね可能な包装用容器は、端部ウェブ板をカバーシートに対して、固定用突出部をスロットに貫通させて垂直に組み立て、その後に側面パネル、連結パネルそしてトップパネルを順次折り曲げて収容空間を形成する従来の構造と違って、端部ウェブ板並びにカバーシートを折り曲げるだけの作業で収容空間が形成できる。
【００１７】
また、端部ウェブ板がベースパネルに折り目を介して一体に設けられる構成は、従来の端部ウェブ板をカバーシートと別体で作り、この端部ウェブ板に設けられた固定用突出部をカバーシートのスロットに貫通させて取付ける手段と違って、端部ウェブ板とカバーシートとの取付け強度を格段に高める。
【００１８】
更に、一つの容器の上に別の容器を積層するには、上に位置する容器の積載用のスロットに、下に位置する容器の固定用突出部を貫通嵌合させ、この上の容器の端部ウェブ板に設けられた積載用溝にこの固定用突出部を係止させ、もって上にある容器の重さを下にある容器の端部ウェブ板に負荷させる。複数個の積層には以上の作業を反復する。
【００１９】
図４や図５に示されるように、側面パネル、連結パネルそしてトップパネルの前記端部ウェブ板が存在する側の辺縁全長が二枚重ねであったり、また、図６や図７に示されるように、ベースパネルの前記端部ウェブ板が存在する側の辺縁全長も二枚重ねである構成は、前記固定用突出部が摩擦を生じながら貫通されるスロット周辺の強度を高めるように働き、この固定用突出部とスロットとの係止が強固に維持される。
【００２０】
また、図４乃至図７に示されるように、端部ウェブ板並びに固定用突出部が共に二重である構成は、この両者の強度を向上させるのに貢献し、併せて外的な負荷に対しても頑強に対抗するように働く。
【００２１】
更に、図４乃至図７に示されるように、前記トップパネルが、容器の上方に開口が形成されるに足る幅寸法に形成されていると共に、一方のトップパネルから、端が他方のトップパネルの上に重合されるに足る寸法を備えて前記開口を閉塞する蓋が一体に設けられていると共に、この蓋の辺縁にはウェブ板の前記固定用突出部を摩擦を生じさせながら貫通させるスロットが穿設されている構成は、容器に対する上方からの外的負荷にうまく対抗して、容器の不用意な圧縮変形を未然に防止するとともに、収容空間内の収容物の保護に貢献する。
【００２２】
【実施例】
以下、本発明の好適な一実施例を図面に基づいて説明する。
図１は本発明に係る積み重ね可能な包装用容器の外観図で、容器本体１はベースパネル５と一対の端部ウェブ板２とその周囲を囲撓するカバーシート３を備えることが示されている。容器本体１を構成する素材は、例えばボール紙、段ボール紙、合成樹脂素材、強化或いは補強された厚紙などである。本発明にあっては、この容器本体１は、図１に示されるように、基本的には、前記の通り、ベースパネル５と一対の端部ウェブ板２と、この端部ウェブ板２の周囲を囲撓するカバーシート３とから構成されている。そして特に注目すべきは、従来のものと違って、この端部ウェブ板２は、ベースパネル５に折り目４（図２参照）を介して一体に設けられている。
【００２３】
前記カバーシート３は、図２にも示されるように、ベースパネル５の対向する二辺に折り目６を介して順に側面パネル７、連結パネル８そしてトップパネル９が一連に連なって形成されている。また、前記連結パネル８並びにトップパネル９は、端部ウェブ板２が存在する側の辺縁近くに、夫々スロット１０が穿設されている。
【００２４】
また、前記端部ウェブ板２の上縁２Ａには、この上縁２Ａの長さ方向に所定の間隔を開けて一対の固定用突出部１１が外方に向けて一体に突設されている。
【００２５】
前記スロット１０には、前記端部ウェブ板２の上方両角部２Ｂ並びに前記固定用突出部１１が摩擦によって嵌合される。従って、このスロット１０の溝幅は、前記固定用突出部１１や前記上方両角部２Ｂの肉厚とほゞ同等であっても良いが、やゝ細めに形成されるのが好ましい。
【００２６】
また、前記ベースパネル５の端部ウェブ板２との折り目４部分には、前記固定用突出部１１に対応する位置に、このベースパネル５を貫通する一対の積載用のスロット１２が穿設されていると共に、この端部ウェブ板２のベースパネル５との折り目４部分には、前記積載用のスロット１２に一連に連なって、前記固定用突出部１１が嵌合係止される、基本的にこの固定用突出部１１の突出部の形状に合致させた、積載用溝１３が穿設されている。
【００２７】
この積載用のスロット１２と積載用溝１３とは、図３に示されるように、複数個の容器を積層する際に、荷崩れを防止する意図をもって設けられるもので、下位の容器の上に上位の容器を積み重ねるにあたり、下位の容器の固定用突出部１１が上位の容器の前記積載用のスロット１２を下方から上方に貫通して、引続き端部ウェブ板２の基部に設けられた前記積載用溝１３に嵌合されて係止され、この固定用突出部１１の前記積載用のスロット１２から積載用溝１３への嵌合係止によって、下位の容器に対する上位の容器の所定の積層位置が外力等によって不用意に偏倚するのを防止する。
【００２８】
また、前記トップパネル９は、図示されるように、両トップパネル９の合算幅寸法が前記ベースパネル５の幅よりも遙に狭い幅に形成されていて、組み立てられた容器の上方に開口１４を形成する。
【００２９】
尚、図１，図２，図３において１５は容器運搬時に手を指し入れるために前記端部ウェブ板２に穿設された手差し用の貫通孔である。
【００３０】
以上のような構成を有する本発明の積み重ね可能な包装用容器の組み立ては、図２に示される展開状態から、先ず、端部ウェブ板２をカバーシート３の折り目４に沿って、上方に垂直になるように折り曲げ、次いで、カバーシート３の両側面パネル７、連結パネル８そしてトップパネル９をそれぞれ折り目６に沿って順次折り曲げ、先ず連結パネル８のスロット１０に前記端部ウェブ板２の角部２Ｂを貫通させて係止させ、更に、トップパネル９のスロット１０に前記端部ウェブ板２の固定用突出部１１を貫通させて係止させる。これによって、図１に示されるように、端部ウェブ板２の周囲をカバーシート３で囲撓された、内方に収容空間を備える、包装用容器が得られる。
【００３１】
本発明に係る積み重ね可能な包装用容器は、従来のように、前記端部ウェブ板２とカバーシート３とが別々に独立して形成されていて、端部ウェブ板２の固定用突出部をこのカバーシート３のスロットに貫通させて取り付ける手段と違って、前記端部ウェブ板２はベースパネル５に一体に設けられているので、組み立てられた容器が、特にこの端部ウェブ板２とベースパネル５との繋ぎの部分において、遙に優れた強度的な特性を備えることができ、従って、組み立てられた容器は、外的な負荷がかかっても、容器本来の立体形状を良く保ち、特に複数個の容器を積層するに当たっても、上方からの圧縮荷重のみならず横方向の外力に対してもうまく対抗でき、最下層のものでも長く本来の立体形状が保たれる。また、組み立ての手間或いは行程数が少なくなる上に、素材からの切出しも一つの型で一挙にこの端部ウェブ板２とカバーシート３とを得ることができ、従ってまた、在庫管理や取り扱いも容易で、廉価に提供できる。
【００３２】
次に、図４乃至図７は前記端部ウェブ板或いはその周囲と固定用突出部との強度を一段と高めて、一層頑丈に構成でき、しかも容器に負荷される上方からの荷重にうまく対抗し、多数の容器を積層した場合にも個々の容器が容器本来の立体形状を長く保持でき、併せて容器の上方の強度も高めて容器の全体的な強度を一層高め、しかも容器の収容物品を外的な圧力や衝撃から上手く保護でき、商品価値を不用意に損なう虞を少なくできる積み重ね可能な包装用容器を提供するために、更に改善された構造を示す他の実施例を示すものである。基本的な全体構成は図１乃至図３に示された構成と変わらないので、同じ符号を付して説明を省略する。
【００３３】
そこで、図４、図５に示される構成は、前記図１乃至図３に示される実施例の主たる目的に加えて、更に端部ウェブ板と固定用突出部との強度を一段と高めて、一層頑丈に構成でき、しかも容器に負荷される上方からの荷重にうまく対抗し、多数の容器を積層した場合にも個々の容器が容器本来の立体形状を長く保持でき、併せて容器の上方の強度も高めて容器の全体的な強度を一層高め、しかも容器の収容物品を外的な圧力や衝撃から上手く保護でき、商品価値を不用意に損なう虞を少なくできる積み重ね可能な包装用容器を提供するために、更に改善された構造を示したものである。
具体的には、前記側面パネル７、連結パネル８そしてトップパネル９の前記端部ウェブ板２の存在する側の辺縁７Ａ、８Ａ、９Ａの全長が所定の幅で内方に折り曲げられ、これによって得られた折り曲げ片１６が適宜の接着剤でベースカバー３の内面に貼着されたものである。図例では、折り曲げ片１６の遊辺が前記スロット１０及び積載用のスロット１２の外方側の縁上に位置する構造が採用されているが、必ずしもこの構造に限定されるものではなく、図示しないが、前記折り曲げ片１６の遊辺を、必要に応じて、前記スロット１０及び積載用のスロット１２を越えて更に、内方側に位置する構造を採用できる。この場合、この折り曲げ片１６にも前記スロット１０及び積載用のスロット１２が穿設される。
【００３４】
また、この図４並びに図５に示される構造からも理解されるように、前記トップパネル９のいずれか一方の遊端辺から他方のトップパネル９側に向かって一体に延設されるとともに、図４の想像線に示されるように、この他方のトップパネル９に上から重合するに足る寸法を備えて、前記開口１４を閉塞するための蓋１７が設けられている。また、この蓋１７にも、その端部ウェブ板が存在する側の辺縁に、上記と同様の、補強用の折り曲げ片１６が設けられている。さらに、この蓋１７には、その閉塞姿勢を保持するために、前記他方のトップパネル９に近い側の固定用突出部１１を摩擦を生じながら貫通させて係止させるための一対のスロット１８が穿設されている。
尚、図中２０はこの蓋１７の開閉に便利なように設けられている折り目である。
【００３５】
更に、前記端部ウェブ板２はその側面パネル７の存在側辺縁に折り目１９を介して夫々一体に補強用の裏打ち板２１が設けられている。この裏打ち板２１は端部ウェブ板２の幅寸法の１／２の幅寸法に設定されていて、端部ウェブ板２の幅方向中央で互いの遊辺が突き合わされているとともに、これらの裏打ち板２１の上縁には、前記端部ウェブ板２と同一位置にして補強用の固定用突出部２２が一体に設けられている。また、前記手差し用の貫通孔１５も前記端部ウェブ板２と同一位置にして設けられている。
【００３６】
また、図６、図７に示される構造は、前記図１乃至図３に示される実施例の主たる目的に加えて、更に端部ウェブ板とその周囲、そして固定用突出部の強度を一段と高めて、一層頑丈に構成でき、併せて容器の上方の強度も高めて容器の全体的な強度を一層高め、しかも容器の収容物品を外的な圧力や衝撃から上手く保護でき、商品価値を不用意に損なう虞を少なくできる積み重ね可能な包装用容器を提供するために、更に改善された構造を示したものである。
具体的には、前記図４並びに図５に示された、補強用の折り曲げ片１６が更にベースパネル５にも設けられているもので、このベースパネル５の前記端部ウェブ板２の存在する側の辺縁５Ａの全長が所定の幅で内方に折り曲げられ、これによって得られた折り曲げ片１６が適宜の接着剤でベースカバー３の内面に貼着されている。つまりは、カバーシート３の端部ウェブ板２の存在側の辺縁全長にわたってこの折り曲げ辺１６が設けられた構造になっている。そして、端部ウェブ板２はこの折り曲げ片１６の内側辺から折り目２３（５Ａ）を介した一体に連設されている。前記図４並びに図５と同様に、折り曲げ片１６の遊辺が前記スロット１０及び積載用のスロット１２の外方側の縁上に位置する構造が採用されている。
【００３７】
また、この図６並びに図７に示される構造も、前記図４並びに図５に示される構造と同様に、蓋１７、その開閉用の折り目２０が夫々設けられていると共に、前記端部ウェブ板２にも、その側面パネル７の存在側の辺縁に折り目１９を介して夫々一体に補強用の裏打ち板２１、補強用の固定用突出部２２が夫々設けられている。
【００３８】
前記側面パネル７、連結パネル８そしてトップパネル９の前記端部ウェブ板２の存在する側の辺縁が内方に折り曲げられて形成される折り曲げ片１６によって構成されるこれら側面パネル７、連結パネル８そしてトップパネル９の辺縁の二枚重ね構造は、この端部ウェブ板２の左右両側と上方との補強が図れ、これら端部ウェブ板２の左右両側と上方にかかる外的な応力負荷に強固に対抗でき、容器本来の立体形状を長く良好に保つのに役立つ。更に、ベースパネル５にもこの折り曲げ片１６が形成された場合には、この端部ウェブ板２の全周囲の強度の向上が図れて、端部ウェブ板２の全周に付加される外的な応力負荷に一層強力に対抗でき、一段と丈夫な積み重ね可能な包装用容器が得られる。
【００３９】
前記蓋１７は、容器の開口１４を閉塞するとともに、固定用突出部１１，２２に係止されて不用意に開放される虞がないから、外的な衝撃から内容物を良好に保護でき、内容物の商品価値の維持にうまく貢献できることは言うまでもなく、上方或いは側方から容器にかかる外的な応力負荷にもうまく対抗でき、一段と丈夫な容器を得ることができる。また、この蓋１７にも前記の折り曲げ片１６が形成されている場合には、更にその強度の向上が期待でき、一層丈夫な容器を得ることができる。
【００４０】
前記端部ウェブ板２並びに固定用突出部１１の二枚重ね構造は、両者の強度の向上に格段に貢献し、一層丈夫な容器を得ることができる。
【００４１】
また、図示していないが、前記端部ウェブ板２の左右縁の何れか一方に固定用突出部を一体に突設して設け、この固定用突出部が摩擦的に貫通して嵌合係止される、言わば連結用のスロットを前記側面パネルの辺縁近くに穿設する構成を採用できる。この構成を付加することによって、複数個の容器を横方向に並べた際に、横に並べられた容器が、前記積層されるのと同じように、横方向に一連に連なって整然と一体化され、取り扱いの便に供することができる。言うまでもないが、この固定用突出部が摩擦的に貫通して嵌合係止される前記連結用のスロットは隣接する容器の側面パネル７の前記固定用突出部に対応する位置に設けられる。更に、前記固定用突出部が端部ウェブ板２の左右縁の何れか一方に突設されるのは、好適な例を示したに過ぎず、例えば、一方の端部ウェブ板２は右辺縁に、他方の端部ウェブ板２は左辺縁に設けられる構成等が採用される。
【００４２】
【発明の効果】
以上説明したように本発明は、端部ウェブ板がベースパネルに一体に連設されていて、従来の端部ウェブ板とベースパネルとが別体で、この端部ウェブ板に設けられた固定用突出部をベースパネルのスロットに貫通させて両者を組み立てる手段と違って、端部ウェブ板とベースパネルとの取付け強度を格段に高めることができるから、容器の保形性が格段に向上し、特に多数段に積層される使用の態様には好適で、また、組み立てや素材からの切り出しも手数がかからず、更には在庫管理、取扱いが容易で、廉価に提供できる。
【００４３】
また、前記側面パネルとトップパネルとの間に配される連結パネルのスロットに前記端部ウェブ板の角部が嵌合係止される構造は、この端部ウェブ板の起立姿勢を一段と強固に保持でき、また、側面パネル、連結パネルそしてトップパネルの辺縁の二枚重ね構造は、この端部ウェブ板の左右両側と上方との補強が図れ、これら端部ウェブ板の左右両側と上方にかかる外的な応力負荷に強固に対抗でき、容器本来の立体形状を長く良好に保つのに役立つので、容器の保形性が一段と向上し、多数段に積層される使用の形態には一層好適である。
【００４４】
更に、ベースパネルにもこの折り曲げ片が形成された場合には、この端部ウェブ板の全周囲の強度の向上が図れて、端部ウェブ板の全周に付加される外的な応力負荷に一層強力に対抗でき、容器の保形性を一層向上して、丈夫な積み重ね可能な包装用容器が得られるので、多数段に積層される使用の形態には更に一層好適である。
【００４５】
また、前記端部ウェブ板並びに固定用突出部の二枚重ね構造は、両者の強度の向上に格段に貢献し、一層丈夫な容器を得ることができるから、多数段に積層される使用の形態には更に一層好適である。
【００４６】
前記蓋は、容器の開口を閉塞するとともに、固定用突出部に係止されて不用意に開放される虞がないから、外的な衝撃から内容物を良好に保護でき、内容物の商品価値の維持にうまく貢献できることは言うまでもなく、上方或いは側方から容器にかかる外的な応力負荷にもうまく対抗でき、一段と丈夫な容器を得ることができ、多数段に積層される使用の形態には更に一層好適である。
【００４７】
また、この蓋にも前記の折り曲げ片が形成されている場合には、更にその強度の向上が期待でき、一層丈夫な容器を得ることができる。
【００４８】
更に、側面パネル、連結パネルそしてトップパネルの辺縁、更には蓋の辺縁を二枚重ねにする手段として、この辺縁を内方に折り返すことによって、特に容器の素材として紙を採用した場合には、紙の端縁が外方に露出することがなく、見栄えが良くなり、容器そのものの商品価値を一層高めることができる。
【図面の簡単な説明】
【図１】  本発明に係る積み重ね可能な包装用容器の実施例を示す全体斜視図である。
【図２】  本発明に係る積み重ね可能な包装用容器の実施例を示し、図１に示される容器の展開図である。
【図３】  本発明に係る積み重ね可能な包装用容器の実施例を示し、積み重ね状態の説明図である。
【図４】  本発明に係る積み重ね可能な包装用容器の別の実施例を示す全体斜視図である。
【図５】  本発明に係る積み重ね可能な包装用容器の別の実施例を示し、図４に示される容器の展開図である。
【図６】  本発明に係る積み重ね可能な包装用容器の更に別の実施例を示す全体斜視図である。
【図７】    本発明に係る係る積み重ね可能な包装用容器の別の実施例を示し、図６に示される容器の展開図である。
【図８】  従来の構造を説明する全体斜視図である。
【図９】  従来の構造を説明し、図８に示された容器の展開図である。
【符号の説明】
１…容器本体、２…端部ウェブ板、２Ａ…端部ウェブ板の上縁、３…カバーシート、５…ベースパネル、７…側面パネル、８…連結パネル、９…トップパネル、１０…スロット、１１…固定用突出部、１２…積載用のスロット、１３…積載用溝、１４…開口、１６…折り曲げ片、１７…蓋、２１…補強用の裏打ち板、２２…補強用の固定用突出部。
【図１】
0003814854.tif 000002
【図３】
0003814854.tif 000003
【図２】
0003814854.tif 000004
【図４】
0003814854.tif 000005
【図５】
0003814854.tif 000006
【図６】
0003814854.tif 000007
【図７】
0003814854.tif 000008
【図８】
0003814854.tif 000009
【図９】
0003814854.tif 000010